(57)【特許請求の範囲】
【請求項１】
ＦＭ多重放送から多重データを復調するＦＭ多重受信装置において、
複数のフレーム同期手段を有し、前記複数のフレーム同期手段のうち１つのフレーム同期手段により前記多重データのフレーム同期を行うフレーム同期回路と、
前記多重データに含まれる代替周波数リストに基づいてサーチを行うサーチ手段、前記サーチが行われる前に受信されていた第１放送局の多重データに対応したフレーム同期手段を示す第１情報が記憶される記憶手段、及び前記サーチによって探し出された第２放送局を受信した後、前記第１情報に応じたフレーム同期手段を選択する第１選択手段を含むフレーム制御回路と
を備えることを特徴とするＦＭ多重放送の受信装置。
【請求項２】
さらに、前記フレーム制御回路は、前記第２放送局の多重データが前記第１情報に応じたフレーム同期手段に同期した否かを判定する判定手段を含むことを特徴とする請求項１記載のＦＭ多重放送の受信装置。
【請求項３】
前記第２放送局の多重データが前記第１情報に応じたフレーム同期手段に同期した場合、前記第１情報に応じたフレーム同期手段を継続して選択させることを特徴とする請求項２記載のＦＭ多重放送の受信装置。
【請求項４】
前記フレーム制御回路は、前記第２放送局の多重データが前記第１情報に応じたフレーム同期手段に同期しない場合に、前記複数のフレーム同期手段を順次選択する第２選択手段と、前記第２放送局の多重データが前記第２選択手段によって選択されたフレーム同期手段に同期したか否か判定する第２判定手段と、を備えることを特徴とする請求項３記載のＦＭ多重放送の受信装置。
【請求項５】
ＦＭ多重放送がいずれのフレーム同期手段にも同期しない場合、該当するフレーム同期手段がないことを示すフラグを生成することを特徴とする請求項４記載のＦＭ多重放送の受信装置。
【発明の詳細な説明】
【０００１】
【発明の属する技術分野】
本発明はＦＭ放送にデータが多重されたＦＭ多重放送を受信するＦＭ多重放送の受信装置に関し、特に、フレーム同期方式の選択制御に関する。
【０００２】
【従来の技術】
一般に、ＦＭ放送に文字情報等を多重して放送するＦＭ多重放送が行われている。このＦＭ多重放送では、文字放送を符号化してＦＭステレオ放送に多重しており、現在では、ニュースや交通情報等の番組が放送されている。
現在、日本国内でＦＭ多重放送の本放送（商業放送）が行われている。このＦＭ多重によれば、多重データのフレーム構成は図４のように、２８８×２７２ビットのフレームとなり、基本的に１フレームの１ブロック（１フレーム中の１行）は、１６ビットのブロック識別コード（ＢＩＣ）、１７６ビットのデータパケット及び９６ビット誤り訂正符号（１４ビットのＣＲＣ、８２ビットの水平パリティ）から構成されているものと、１６ビットのＢＩＣ及び２７２ビットの誤り訂正符号（垂直パリティ）から構成されているものから成る。このフレーム構成は、ＩＴＵ（International Telecommunication Union：国際電気通信連合）の勧告により、「method B」と定義され、さらに、ITU勧告では「method B」の他に、それとフレーム構成が異なる「method A」、「method A'」及び「method C」の３種類のフレーム構成が定義されている。その為、ＦＭ多重放送では、４種類のフレーム構成が国際標準規格となっている。尚、現在、欧州のSWIFT（System for Wireless Infotainment Forwarding and Teledistribution）の規格（最終ドラフト）では、上記の「method A」、「method A'」、「method B」及び「method C」はそれぞれ「method A0」、「method A1」、「method B」及び「method C」と定義され、欧州のＲＤＳ（Radio Data System）で使用されているような、現在の受信局と同一のネットワークの局であって、前記受信局と同一番組を放送する放送局の周波数リスト（代替周波数リスト、以下ＡＦリストという）のデータを多重データに含ませることも提案されている。
【０００３】
また、「method A」、「method A'」及び「method C」のフレーム構成はそれぞれ図５、６及び７にようになる。「method A」のフレーム構成は、２８８×２７２ビットのフレームになり、一つのブロック構成は「method B」とそれぞれ同じだが、データパケットを含むブロックと誤り訂正符号のみを含むブロックとが区別されて配置されている。また、「method A'」のフレーム構成は、「method A」の誤り訂正符号のみを含む部分に１２ブロックの「REAL TIME INFORMATION BLOCK」が挿入されて構成されている。さらに、「method C」のフレーム構成は２８８ビットのデータパケットを含むブロックのみにより構成される。
【０００４】
【発明が解決しようとする課題】
現在は、日本でのみＦＭ多重放送が行われているが、今後は欧州や米国でもＦＭ多重放送が行われる予定がある。特に、欧州では、今後広い意味での日本の方式によるＦＭ多重放送のサービスが行われる予定があるものの、欧州のＦＭ多重放送のフレーム構成は、日本で使用されているフレーム構成と異なり、４つの異なるフレーム構成が採用される方向である。しかし、欧州では、ＦＭ多重放送が各地域で採用され、放送が行われたとしても、国や地域ごとにフレーム構成が異なる可能性は十分にあり、さらに同一ネットワークを構成する放送局ごとに採用されるフレーム構成が異なる可能性もある。逆に言えば、国、地域やネットワークにごとにフレーム構成が同一になる場合、その国、地域やネットワーク内では、多重データのフレーム同期方式が同一となる可能性が高い。
【０００５】
そこで、本発明は、国、地域やネットワーク内ではフレーム同期方式が同一である可能性が高いことを利用して、受信局の変更後素速くフレーム同期を行うことが可能なＦＭ多重放送の受信制御装置を提供することを目的とする。
【０００６】
【課題を解決するための手段】
本発明は、ＦＭ多重放送から多重データを復調するＦＭ多重受信装置において、複数のフレーム同期手段を有し、前記複数のフレーム同期手段のうち１つのフレーム同期手段により前記多重データのフレーム同期を行うフレーム同期回路と、受信局を変更したとき、変更前の第１放送局のフレーム同期手段によって、変更後の第２放送局の多重データのフレーム同期を行わせるフレーム制御回路とを備えることを特徴とする。
【０００７】
また、ＦＭ多重放送から多重データを復調するＦＭ多重受信装置において、複数のフレーム同期手段を有し、前記複数のフレーム同期手段のうち１つのフレーム同期手段により前記多重データのフレーム同期を行うフレーム同期回路と、受信中の放送局と同一ネットワーク内の放送局をサーチさせ、前記サーチによって探し出された放送局の多重データに、前記サーチ前の受信局の多重データに同期したフレーム同期手段に切り換えるフレーム制御回路とを備えることを特徴とする。
【０００８】
特に、前記フレーム制御回路は、前記多重データに含まれる代替周波数リストに基づいてサーチを行うサーチ手段と、前記サーチが行われる前に受信されていた第１放送局の多重データに対応したフレーム同期手段を示す第１情報が記憶される記憶手段と、前記サーチによって探し出された第２放送局を受信した後、前記第１情報に応じたフレーム同期手段を選択する第１選択手段と、を含むことを特徴とする。
【０００９】
さらに、前記フレーム制御回路は、前記第２放送局の多重データが前記第１情報に応じたフレーム同期手段に同期した否かを判定する判定手段を含むことを特徴とする。
また、前記第２放送局の多重データが前記第１情報に応じたフレーム同期手段に同期した場合、前記第１情報に応じたフレーム同期手段を継続して選択させることを特徴とする。
【００１０】
さらにまた、前記フレーム制御回路は、前記第２放送局の多重データが前記第１情報に応じたフレーム同期手段に同期しない場合に、前記複数のフレーム同期手段を順次選択する第２選択手段と、前記第２放送局の多重データが前記第２選択手段によって選択されたフレーム同期手段に同期したか否か判定する第２判定手段と、を備えることを特徴とする。
【００１１】
ＦＭ多重放送がいずれのフレーム同期手段にも同期しない場合、該当するフレーム同期手段がないことを示すフラグを生成することを特徴とする。
本発明によれば、前記複数のフレーム同期手段のうち１つのフレーム同期手段により前記多重データのフレーム同期を行うフレーム同期回路と、ＡＦサーチを行わせ、現在の放送局と同一ネットワークで同一放送内容の放送局のうち最大の電界強度の放送局を探す。ＡＦサーチによって探し出された放送局を受信し、この放送局の多重データに対するフレーム同期手段を、ＡＦサーチ前の現在の受信局の多重データに同期するフレーム同期手段になるように前記複数のフレーム同期手段を切り換え、切り換えたフレーム同期手段でＡＦサーチで探し出された放送局の多重データのフレーム同期を行わせる。
【００１２】
【発明の実施の形態】
図１は本発明の実施の形態を示す回路である。１０１はＩＦ信号を出力するＦＭ同調用のフロントエンド回路、１０２はＩＦ信号をＦＭコンポジット信号に復調するＦＭ復調回路、１０３はコンポジット信号をステレオ信号に復調するＭＰＸ（マルチプレクス）回路、１０４はステレオ信号を増幅し、スピーカ１０５に出力するＡＦ増幅回路、１０６はＦＭ同調用フロントエンド回路１０１の同調周波数を決定するためのＰＬＬ周波数シンセサイザ回路、１０７はＦＭ多重データを復調するブロックであり、１０８は７６ＫＨｚを中心周波数とするバンドパスフィルタ、１０９は多重データを復調するＬ−ＭＳＫ復調回路、１１０は復調多重データのブロック同期を行うブロック同期回路、１１１は４つのフレーム同期方式を有しブロックデータのフレーム同期を行うフレーム同期回路、１１２はフレームが再構成されたデータに誤り訂正を行う誤り訂正回路、１１３は操作キー１１４によりＰＬＬ周波数シンセサイザ回路１０６を制御し同調周波数の変更を行う手段と、多重データの復号処理を行い、復号結果を表示ディスプレイ１１５に表示させる手段と、多重データに含まれるＡＦリストに基づきＡＦサーチを行う手段と、フレーム同期回路１１１のフレーム同期方式を切り換える切換信号F methodを出力する手段とを有する制御回路、１１６はＩＦ信号をレベル検波し、受信電界強度を検出する電界強度検出回路である。
【００１３】
図１において、受信ＲＦ信号はＦＭフロントエンド１０１内で発生する局部発振信号により所定周波数のＩＦ信号に周波数変換され、ＩＦ信号はＦＭ復調回路１０２でコンポジット信号に復調される。コンポジット信号のうちオーディオ信号成分はＭＰＸ回路１０３で左右ステレオ信号にステレオ復調される。左右ステレオ信号はＡＦ増幅回路１０４で増幅された後、スピーカ１０５に伝送される。
【００１４】
また、コンポジット信号中のＦＭ多重成分はＢＰＦ１０８を通過し、Ｌ−ＭＳＫ復調回路１０９で多重データに復調される。ブロック同期回路１１０でブロック毎に多重データの同期がとられた後、フレーム同期回路１１１でフレーム毎に多重データの同期がとられ、ブロック及びフレーム同期がとられた多重データは誤り訂正回路１１２で誤り訂正される。誤り訂正を受けたデータDATAは制御回路１１３で復号され、復号データに基づき文字情報及び図形情報がディスプレイ１１５に表示される。
【００１５】
ＦＭフロントエンド１０１は局部発振回路（図示せず）を含み、局部発振信号の周波数はＰＬＬシンセサイザー１０６からの周波数制御信号により変更されるとともに、局部発振信号はＰＬＬ周波数シンセサイザー１０６に出力される。局部発振回路はＰＬＬ周波数シンセサイザー１０６とともにＰＬＬを形成し、ＰＬＬシンセサイザー１０６にはＰＬＬの構成のうち基準信号を発生する基準発振回路、基準信号を分周するリファレンスディバイダ、局部発振信号を可変分周数で分周するプログラマブルディバイダ、上記２つのディバイダの出力を位相比較する位相比較回路及び位相比較回路の出力に応じて周波数制御信号を出力するループフィルタが構成される。尚、ＰＬＬについては周知の技術であるため動作説明は省略する。
【００１６】
操作キー１１４により設定された放送局を受信しようとする場合、まず、この放送局の受信周波数に対応する分周データN dataが制御回路１１３から出力される。分周データN dataに応じてプログラマブルディバイダの可変分周数が設定され、局部発振信号の周波数は上記放送局に対応した周波数になる。その結果、上記放送局の受信ＲＦ信号が所定周波数のＩＦ信号に変換され、放送局のオーディオ復調及び多重復調が行われる。このように、制御回路１１３はフロントエンド１０１の同調動作を制御する。
【００１７】
次に、図１のラジオ受信機のフレーム同期方式の自動切り換え動作を、図２のフローチャートに基づいて説明する。現在、ラジオ受信機が例えば９０．０ＭＨｚの現行局を受信し、かつ、「method A0」のフレーム同期方式でフレーム同期が行われているとし、また、このフレーム構成情報は現行局のフレーム情報として第１情報として内部メモリ１１３ｍに記憶されているとする。
【００１８】
まず、操作キー１１４により予めラジオ受信機をＡＦサーチを行える状態としておくことによって、所定時間ごとにＡＦサーチが行われる（Ｓ１）。ＡＦサーチが開始されると、制御回路１１３は多重データdataを復号して、復号データの中からＡＦリストを抽出し、制御回路１１３の内部メモリー１１３ｍに例えば図３の如くＡＦリストのテーブルが作成される。図３のテーブルは、現在の受信局と同一ネットワークで同一番組を放送している放送局が１０個存在していることを示している（Ｓ２）。まずラジオ受信機の受信局が現行局から図３のテーブルの１番目の代替局（代替周波数：８８．６）に変更される。受信局の変更は、分周データN dataが制御回路１１３から変更され、フロントエンド１０１の局部発振信号が変更され、さらに、受信周波数が１番目の代替周波数ｆ１に変更されることにより行われる（Ｓ３）。代替局の受信中、制御回路１１３は電界強度検出回路１１６で検出された受信電界強度を取り込み、テーブル中に該当の代替局に対応させて記憶させる（Ｓ４）。次に、制御回路１１３は、テーブル中の代替局のうち電界強度が検出された代替局を、電界強度の強い順に代替局を並び替える（Ｓ５）。さらに、ＡＦリストの全ての代替局について、電界強度を検出したかどうかを判定する（Ｓ６）。この場合、１番目の代替局の電界強度のみを検出しただけなので、全ての電界強度の検出が終了したと判定せず、次に図３のテーブルの２番目の代替局（８９．７ＭＨｚ）を選択する（Ｓ７）。選択後、ラジオ受信機の受信局は９０．０ＭＨｚの現行局に戻される（Ｓ８）。所定時間経過（Ｓ９）の後、ラジオ受信機の受信局を第２の代替局に変更し、その電界強度を検出し、再び代替局を電界強度の大きい順に並び替え、テーブルの３番目の代替局を選択する。このような動作は、図３のテーブル中の代替局の電界強度をすべて検出するまで繰り返され、その結果、電界強度の並び替えによって、テーブルには検出された電界強度の値とともに、電界強度の強い順で代替局が記憶される。尚、Ｓ８の動作によって現行局と代替局との受信が交互に行われることにより代替局の受信時間を短くし、ＡＦサーチによる聴感上の違和感を防止している。また、並び替えによってテーブルの１番目の領域には、代替局のうちで最も大きい電界強度を有する代替局が記憶される。その為、次のステップのＳ６以降は、テーブル中の１番目の領域には最も大きい電界強度の代替局が記憶されているとして動作説明を続ける。
【００１９】
Ｓ６において、すべての電界強度の検出が終了したと判定されると、ラジオ受信機の受信局は現行局に戻され、制御回路１１３は並び替え後のテーブルの中の１番目の代替局の電界強度と現行局の電界強度とを比較する（Ｓ１０）。現行局の電界強度がテーブルの１番目の代替局の電界強度より大きい場合、ラジオ受信機に現行局の受信を継続させる（Ｓ１１）。
【００２０】
一方、テーブル中の１番目の代替局の電界強度が現行局の電界強度より大きい場合、電界強度が最も大きい１番目の代替局を、ラジオ受信機に受信させる（Ｓ１２）。１番目の代替局が受信されると、ＦＭ検波回路１０２のコンポジット信号から多重データがＢＰＦ１０８で取り出され、ブロック同期回路１１０でブロック同期がとられる。その際、制御回路１１３は内部メモリー１１３ｍから第１情報を読み出し（Ｓ１３）、第１情報をフレーム構成情報F Methodとしてフレーム同期回路１１１に入力させる。その為、フレーム同期回路１１１のフレーム同期手段は現行局のフレーム同期手段と同一の「method A0」になり、前記代替局の多重データが「method A0」のフレーム同期手段でフレーム同期がとられる（Ｓ１４）。ここで、同一ネットワーク上で同一番組を放送していれば、ＡＦリストに記載される放送局のフレーム構成は同一構成である可能性が高いと予測される。その為、最も強い電界強度を有する代替局にラジオ受信機の受信を変更したとき、まず最初にフレーム同期回路１１１のフレーム同期手段を現行局のフレーム同期手段にしている。
【００２１】
所定時間が経過した後、制御回路１１３はフレーム同期回路１１１がＦＭ多重データのフレームに同期したか否かを確認する。ＦＭ多重データがF methodによって設定されたフレーム同期方式に同期すると、フレーム同期検出信号F lockを出力する。その為、制御回路１１３は所定時間経過後にフレーム同期検出信号F lockが入力されたか否かの確認を行う。よって、１番目の代替局のＦＭ多重データのフレームが「method A0」のフレーム同期方式に同期するか否かが確認される（Ｓ１５）。代替局のＦＭ多重データのフレームが「method A0」のフレーム同期方式に同期する場合、制御回路１１３は、内部メモリ１１３ｍ内の領域１に、そのまま「method A0」を示すフレーム情報を書き込む（Ｓ１６）。よって、１番目の代替局の多重データは「method A0」のフレーム同期方式で同期がとられ、制御回路１１３で多重データの復号を行うことができる（Ｓ１７）。ラジオ受信機は、電界強度が最も強い代替局の受信を行うことによって、同一の番組の放送をより良い最良の状態で受信することができる。
【００２２】
また、Ｓ１５において、１番目の代替局のＦＭ多重データがフレーム同期回路１１１でフレーム同期方式「method A0」に同期しなかった場合、制御回路１１３は他のフレーム構成情報を選択し、これに対応するF methodが出力される。フレーム構成情報を変更する際、例えば制御回路１１３はフレーム構成情報を「method A0」→「method A1」→「method B」→「method C」→「method A0」の順で変更する。よって、本実施形態では、フレーム同期回路１１１が「method A0」で同期できなかった場合、制御回路１１３はフレーム構成情報を「method A1」に変更する（Ｓ１８）。その後、制御回路１１３は「method A0」〜「method C」の全ての情報を選択したかを判別する。変更されたフレーム構成情報が変更開始から一巡したか否かを判別する。例えば、１番目の代替局の受信中において、「method A0」から「method A1」に変更した場合、「method A0」が２回目の選択か否かを判別することにより、１巡の判別を可能にする（Ｓ１９）。
【００２３】
制御回路１１３が全ての種類のフレーム構成情報を選択していない場合、即ち、１回目の「method A1」の選択の場合、Ｓ１４及びＳ１５に戻り、フレーム構成情報の変更によりF methodが変更され、さらにフレーム同期回路１１１のフレーム同期方式が「method A1」に変更される。その状態で、代替局の多重データが「method A1」のフレーム同期方式で同期されるか否か判別され、同期していれば内部メモリー１１３ｍの領域１に「method A1」に対応するフレーム構成情報を書き込む。代替局の多重データが「method A1」のフレーム同期方式に同期しない場合、制御回路１１３はさらに次のフレーム構成情報を選択する。このようなフレーム構成情報の変更は、フレーム同期されるフレーム同期方式が見つかるまで、または、フレーム情報構成の変更が一巡するまで行われる。同期するフレーム同期方式が存在すれば、フレーム同期情報の領域に「method A0」乃至「method C」の一つが書き込まれ、書き込まれたフレーム同期方式でＦＭ多重データの同期が行われる。
【００２４】
Ｓ１９において、フレーム構成情報の変更が一巡しても、つまり、２回目の「method A0」が選択されても、同期可能なフレーム同期方式が見つからなければ、制御回路１１３は、該当するフレーム同期方式がないことを示すフレーム無しフラグを生成する。制御回路１１３はフレーム無しフラグを検出し、フレーム同期検出の動作が終了する（Ｓ２０）。
【００２５】
尚、フレーム無しフラグが存在する場合、制御回路１１３は、▲１▼所定時間経過後に最大の電界強度の代替局で図２のフローチャートの動作でフレーム同期検出を再び行う、▲２▼２番目以降の電界強度の強い代替局を受信させて、図２のフローチャートの動作でフレーム同期検出を再び行う、▲３▼元の現行局に戻し受信させるなどの処理を行って、ラジオ受信機が放送局を必ず受信している状態を発生させる。
【００２６】
以上の如く、ＡＦサーチに基づき同一ネットワーク内ではフレーム構成が同一である可能性が高いとして、前の受信局のフレーム同期方式を使用して、変更した代替局の多重データのフレーム同期をとる。ＡＦサーチの場合に限らず、通常動作で受信局を変更する場合においても、変更直後は、変更後の受信局のフレーム同期方式を、変更前の受信局のフレーム同期方式に選択させる。これによっても、素速いフレーム同期をとることができる。
【００２７】
図８は、図１のフレーム同期回路１１１及び誤り訂正回路１１２の具体回路例を示すブロック図である。１２１は多重データ中に含まれるＢＩＣを検出するＢＩＣ検出回路、１２２は検出されたＢＩＣの変化点を検出する変化点検出回路、１２３は多重データのデータ数を１ブロックのデータ数分の２８８個カウントして、カウント完了すると完了信号を出力するデータカウンタ、１２４は完了信号をカウントすることによりブロック数をカウントするブロックカウンタ、１２５はフレーム構成中の所定の変化点を検出するとともに、ブロックカウンタ１２４のカウント値に基づき所定変化点の間のブロック数を検出することによりフレーム同期を検出するとともに、フレーム同期している最後尾のブロックを検出するとブロックカウンタをリセットするフレーム同期検出回路、１２６はライト・リードアドレス発生回路を含み、指定されたライト・リードアドレスに多重データが書き込み、読み出しされるメモリ、１２７はフレーム同期検出信号F lockに応じてフレームの先頭に先頭フラグをつけて多重データをメモリ１２６に記憶させるタイミング回路、１２８はメモリ１２６に記憶される多重データの誤り訂正を行う誤り訂正部である。誤り訂正部１２８は、メモリ１２６中の先頭フラグを検出し、先頭フラグが付されたブロックから始まる１つのフレームを誤り訂正する。
【００２８】
フレーム検出回路１２５は例えば多重データのフレーム構成が図４のフレーム構成「method B」の場合、所定の検出点、即ち、「BIC1→BIC3」、「BIC4→BIC2」、「BIC2→BIC3」、「BIC4→BIC1」及び「BIC1→BIC3」の変化点が順に繰り返されることを検出するとともに、上記それぞれの変化点の間のブロック数が１２３個、１３個、１２３個及び１３個となることを検出することによりフレーム同期を検出し、フレーム同期を検出するとフレーム同期検出信号F lockを出力する。  また、フレーム同期検出回路１２５にはF methodが印加され、このF methodによってフレーム同期手段が切り換わる。具体的には、フレーム構成に応じてF methodを変更することによってフレーム検出回路の構成が変化し、その結果、検出対象となる所定の変化点が変更され、繰り返される変化点の順番が変更される。さらに、変化点と変化点との間のカウントされるべき数が変更される。つまり、フレーム構成が「method A0」の場合、フレーム検出回路１２５は「BIC3→BIC2」、「BIC2→BIC1」、「BIC1→BIC4」、「BIC4→BIC3」及び「BIC3→BIC2」の変化点を検出するとともに、その間のブロック数が７０個、６０個、８２個、６０個となることを検出するように変更される。また、フレーム構成が「method A1」の場合、フレーム検出回路１２５は「BIC3→BIC2」、「BIC2→BIC1」、「BIC1→BIC4」、「BIC4→BIC3」及び「BIC3→BIC2」の変化点を検出するとともに、その間のブロック数が７０個、６０個、９４個、６０個となることを検出するように変更される。さらに、「method C」の場合、１ブロックごとに「BIC3→BIC3」に検出するように変化される。以上述べた如く、F methodを変えることにより、多重データのフレーム構成に対応したフレーム同期手段を変更することが可能になる。
【００２９】
尚、多重データのメモリーへの記憶は、上記のように先頭のブロックに先頭フラグを付して行うことに限らず、フレーム同期検出信号F lockが発生すると、例えば、先頭アドレス等の所定アドレスから順にブロックを記憶させて行うことも可能である。その場合、誤り訂正部１２８は所定アドレスから始まる１つのフレームを誤り訂正する。
【００３０】
【発明の効果】
本発明によれば、サーチによって探し出されたとき、この放送局の多重データに対するフレーム同期手段を、最初に現在の受信局の多重データに対応するフレーム同期手段に自動的に切り換えるので、フレーム同期確立の時間を短縮することができる。つまり、同一ネットワーク上で同一番組を放送していれば、ＡＦリストに記載される放送局のフレーム構成は同一構成である可能性が高いと予測される為、代替局にラジオ受信機の受信を変更したとき、まず最初にフレーム同期回路のフレーム同期手段を現在の受信局のフレーム同期手段にすることによって、無駄な動作を省くことができる。
【図面の簡単な説明】
【図１】本発明の実施の形態を示すブロック図である。
【図２】図１の動作を示すフローチャートである。
【図３】図１のメモリ１１３ｍ中の受信周波数とフレーム構成情報と関係を示す関係図である。
【図４】フレーム構成「method B」を示す構成図である。
【図５】フレーム構成「method A0」を示す構成図である。
【図６】フレーム構成「method A1」を示す構成図である。
【図７】フレーム構成「method C」を示す構成図である。
【図８】図１のフレーム同期回路１１１と誤り訂正回路１１２との具体例を示すブロック図である。
【符号の説明】
１０１          ＦＭフロントエンド
１０２          ＦＭ復調回路
１０３          ＭＰＸ回路
１０４          ＡＦ増幅回路
１０５          スピーカ
１０６          ＰＬＬ周波数シンセサイザ
１０７          ＦＭ多重データの復調ブロック
１０８          ＢＰＦ
１０９          Ｌ−ＭＳＫ復調回路
１１０          ブロック同期回路
１１１          フレーム同期回路
１１２          誤り訂正回路
１１３          制御回路
１１４          操作キー
１１５          ディスプレイ
１１６          電界強度検出回路
１２１          ＢＩＣ検出回路
１２２          変化点検出回路
１２３          データカウンタ
１２４          ブロックカウンタ
１２５          フレーム同期検出回路
１２６          メモリ
１２７          タイミング回路
１２８          誤り訂正部
【図１】
0003540563.tif 000002
【図２】
0003540563.tif 000003
【図３】
0003540563.tif 000004
【図４】
0003540563.tif 000005
【図５】
0003540563.tif 000006
【図６】
0003540563.tif 000007
【図７】
0003540563.tif 000008
【図８】
0003540563.tif 000009